(57)【特許請求の範囲】
【請求項１】
使用済みスプレー缶を垂直に保持した状態で略気密に上下方向に進退可能に弾性支持された縦形円筒体からなるスプレー缶保持部、前記スプレー缶保持部に垂直に保持された前記スプレー缶を上方から下方へ押圧する流体圧シリンダーからなるスプレー缶押圧機構、前記スプレー缶保持部の縦形円筒体に相互にスライド可能に内嵌され、先端部で前記スプレー缶保持部に垂直に保持されたスプレー缶の底面部を下方から穿孔する筒状穿孔針とからなるスプレー缶穿孔機構部と、前記筒状穿孔針の下方に設けられ、該筒状穿孔針の内部を流下する残留液状物及び残留ガスを受ける密閉形の液状物・ガス受け部と、前記密閉形の液状物・ガス受け部内の液状物を回収する容器及びガスを吸引して放出させる排気装置を備え、前記スプレー缶穿孔機構部は、上部に使用済みスプレー缶を垂直に保持するための缶載置台を有し、内部に前記筒状穿孔針を相互にスライド可能に内挿した縦形円筒体が、機台に垂直に固定された有底の支持外筒内にスプリングにて上下方向に進退可能に弾性支持され、かつ前記筒状穿孔針の下端部が前記支持外筒の底部を貫通して支持され、前記機台に固定された支柱に前記缶載置台に載置されたスプレー缶を上方から下方へ押圧する流体圧シリンダーからなるスプレー缶押圧機構が設けられた構成となしたスプレー缶簡易処理装置において、前記缶載置台は、使用済みスプレー缶の底部を高さ方向に囲繞する長さを有する短尺の円筒体の下端部が、前記縦形円筒体の上部に形成したフランジ部に外嵌固定され、さらに前記フランジ部の内表面にシール材が設けられた構成となしていることを特徴とするスプレー缶簡易処理装置。
【発明の詳細な説明】
【技術分野】
【０００１】
本発明は、殺虫剤、消臭剤、化粧品等の使用済みスプレー缶（エアゾール缶）の残留内容物（液状物、ガス）を安全に取り出すためのスプレー缶簡易処理装置に関するものである。
【背景技術】
【０００２】
殺虫剤、消臭剤、化粧品等の使用済みスプレー缶（エアゾール缶）は、使用済みになると廃棄されるが、内部に若干のガスや液状物が残ったままで廃棄されるものもあり、そのまま焼却したり、圧縮処理すると、爆発や破裂等を起こすことがある。そこで従来は、缶にひとつひとつ手作業で物理的に穴を開け、缶内の残留ガス（ＬＰＧ等の可燃性ガス）を大気へ放出し、残留液状物（エタノール等）は適当に処理されているのが現状である。しかし、一般には、使用済みスプレー缶に穴を開ける作業は煩雑であり、又、その作業環境は液状物やガスの飛散等により劣悪で健康被害の問題のみならず、着火して爆発等の事故が発生するおそれがあった。
【０００３】
そこで、従来、使用済みスプレー缶に自動で穴をあける装置が種々提案されている（特許文献１〜３）。このうち、特許文献１、２に記載のものは、いずれもスプレー缶を横倒しにして上から穿孔ピンで穿孔する方式であり、特許文献３に記載のものは、横倒しにしたスプレー缶に対し下から穿孔ピンで穿孔する方式である。
【先行技術文献】
【特許文献】
【０００４】
【特許文献１】実開平６−６６９９７号公報
【特許文献２】特開平８−１３３３５７号公報
【特許文献３】特開２００９−２７４１７５号公報
【発明の概要】
【発明が解決しようとする課題】
【０００５】
しかし、前記した従来のスプレー缶穴あけ装置のうち、スプレー缶を横倒しにして上から穿孔ピンで穿孔する方式のものは、穿孔時に残留ガスや残留液状物が上方に勢いよく吹き出して周辺環境を悪化させるのみならず、まき散らされたガスの着火・爆発の危険性を回避できないという問題がある。一方、横倒しにしたスプレー缶に対し下から穿孔ピンで穿孔する方式のものは、穿孔と同時に缶内の残留ガスや残留液状物は下方に噴出し、噴出した液状物はスプレー缶の下方で回収可能であるが、噴出したガスを周囲に飛散させることなく回収する手段を備えていないため、噴出したガスの飛散による周辺環境の悪化を回避できないという問題があった。
【０００６】
本発明は、従来の前記問題に鑑みてなされたもので、穴あけ時の残留ガスや残留液状物の飛散を防ぎ、作業環境を著しく改善できると共に、ガスの着火・爆発の危険性がなく処理作業の安全性を十分に確保できるスプレー缶簡易処理装置を提供しようとするものである。
【課題を解決するための手段】
【０００７】
本発明に係るスプレー缶簡易処理装置は、使用済みスプレー缶を垂直に立てた状態で、内部の残留液状物及び残留ガスが周囲に漏れたり飛散することなく缶底面部を自動的に穿孔可能で、かつ缶外においてその残留液状物及び残留ガスを密閉状態で分離し別々に回収できる機能を有するもので、その要旨は、使用済みスプレー缶を垂直に保持した状態で略気密に上下方向に進退可能に弾性支持された縦形円筒体からなるスプレー缶保持部、前記スプレー缶保持部に垂直に保持された前記スプレー缶を上方から下方へ押圧する流体圧シリンダーからなるスプレー缶押圧機構、前記スプレー缶保持部の縦形円筒体に相互にスライド可能に内嵌され、先端部に例えば断面楔形に形成された楔形先鋭部で前記スプレー缶保持部に垂直に保持されたスプレー缶の底面部を下方から穿孔する筒状穿孔針とからなるスプレー缶穿孔機構部と、前記筒状穿孔針の下方に設けられ、該筒状穿孔針の内部を流下する残留液状物及び残留ガスを受ける密閉形の液状物・ガス受け部と、前記密閉形の液状物・ガス受け部内の液状物を回収する容器及びガスを吸引して放出させる排気装置より構成することを特徴とするものである。
【０００８】
又、本発明装置の前記スプレー缶穿孔機構部は、上部に使用済みスプレー缶を垂直に保持するための缶載置台を有し、内部に前記筒状穿孔針を相互にスライド可能に内挿した縦形円筒体が、機台に垂直に固定された有底の支持外筒内にスプリングにて上下方向に進退可能に弾性支持され、かつ前記筒状穿孔針の下端部が前記支持外筒の底部を貫通して支持され、前記機台に固定された支柱に前記缶載置台に載置されたスプレー缶を上方から下方へ押圧する流体圧シリンダーからなるスプレー缶押圧機構が設けられた構成となしていることを特徴とし、かつ、前記缶載置台は、使用済みスプレー缶の底部を高さ方向に囲繞する長さを有する短尺の円筒体の下端部が、前記縦形円筒体の上部に形成したフランジ部に外嵌固定され、さらに前記フランジ部の内表面にシール材が設けられた構成となしていることを好ましい態様とするものである。
なお、前記スプレー缶押圧機構の流体圧シリンダーには、エアシリンダー又は油圧シリンダーを用いることができ、さらに、前記残留ガスの排気装置には、吸引ファン又は真空ポンプを用いることができる。
【発明の効果】
【０００９】
本発明のスプレー缶簡易処理装置は、使用済みスプレー缶を垂直に立てた状態で当該缶を流体圧シリンダーにより押圧して缶底面部を略気密状態で自動的に穿孔すると共に、その穿孔された穴から流出する缶内部の残留液状物及び残留ガスをそれぞれ密閉状態で缶外に取り出し、残留液状物は容器に回収し、残留ガスは吸引排気して大気中に放出させるので、缶穿孔時に内部の残留液状物及び残留ガスが周囲に漏れたり飛散することがなく、作業環境を著しく改善できると共に、ガスの着火・爆発の危険性もなくなり処理作業の安全性を十分に確保することができる。又、本発明装置における穿孔用流体圧シリンダー、及び吸引ファンや真空ポンプ等の排気装置はボタン操作で制御することができるので、現場では使用済みスプレー缶を装置にセットしてボタン操作するだけの作業で済み、使用済みスプレー缶の廃棄処理の簡易迅速化と作業者の疲労の軽減をはかることができる。
【図面の簡単な説明】
【００１０】
【図１】本発明の一実施例に係るスプレー缶簡易処理装置を示す概略正面図である。
【図２】同上のスプレー缶簡易処理装置の概略側面図である。
【図３】同上のスプレー缶簡易処理装置の要部を拡大して示す縦断面図である。
【図４】同上のスプレー缶簡易処理装置の動作説明図で、（ａ）は使用済みスプレー缶を装置にセットした状態を示す要部拡大縦断面図、（ｂ）は使用済みスプレー缶の底面部を筒状穿孔針で穿孔している状態を示す要部拡大縦断面図である。
【発明を実施するための形態】
【００１１】
図１〜図４に示す本発明の一実施例のスプレー缶簡易処理装置は、大きく分けて、脚体１−１の上部に台板１−２を有する機台１、該機台１の台板１−２に取付けられたスプレー缶穿孔機構部２と、残留液状物及び残留ガスを受ける密閉形の液状物・ガス受け部３と、残留液状物を回収する容器４及び残留ガスの吸引排気装置５とから構成され、前記スプレー缶穿孔機構部２は、スプレー缶保持部７、スプレー缶押圧機構８、スプレー缶６の底面部を穿孔する筒状穿孔針９からなり、スプレー缶保持部７は、前記機台１の台板１−２を上下方向に貫通してそのフランジ部７−１ｃをボルト７−１ｄにて該台板１−２に垂直に固定された上下２個の円筒体７−１ａ、７−１ｂからなる有底の支持外筒７−１に、上部に使用済みスプレー缶６を垂直に保持するための缶載置台７−３を有する縦形円筒体７−２が上下方向にスライド可能に内嵌され、かつ該縦形円筒体７−２は当該円筒体の下部内部に形成した大径部７−２ａと前記有底の支持外筒７−１の下側の円筒体７−１ｂの底面部との間に介挿したスプリング７−４にて常時上方向の押圧力を付勢されて上下方向に進退可能に弾性支持され、この縦形円筒体７−２の内部に前記筒状穿孔針９が相互にスライド可能に挿入され、該筒状穿孔針９の下端部小径部９−１が前記支持外筒７−１の底部を貫通して支持されている。前記筒状穿孔針９は、その先端部に使用済みスプレー缶６の底面部を穿孔するための例えば断面楔形に形成された楔形先鋭部９−２を有している。前記缶載置台７−３は、使用済みスプレー缶６の底部を高さ方向に囲繞する長さを有する短尺の円筒体７−３ａの下端部が、前記縦形円筒体７−２の上部に形成されたフランジ部７−２ｂに外嵌固定され、さらに前記フランジ部７−２ｂの内表面全体に、穿孔時に当該缶載置台と缶底部とを気密にシールするためのゴム製のシール材７−２ｃが内嵌された構造となしている。
【００１２】
なお、支持外筒７−１はここでは上下二分割構造の円筒体で構成したものを示したが、単一管体からなる円筒体（一体形）で構成したものでもよく、その場合は単一管体からなる円筒体の外周に当該円筒体（支持外筒）を台板１−２に固定するためのフランジ部または鍔部を設ける。又、縦形円筒体７−２のスプリング７−４による弾性支持手段としては、該縦形円筒体７−２の下部に大径部７−２ａ部を設けずに、当該縦形円筒体７−２の下側開口端面と支持外筒７−１の底面部との間にスプリング７−４を介挿して構成してもよい。
【００１３】
スプレー缶押圧機構８は、前記機台１の台板１−２に固定された支柱８−１に前記缶載置台７−３に載置されたスプレー缶６を上方から下方へ押圧する流体圧シリンダー８−２からなり、該流体圧シリンダー８−２は前記スプレー缶保持部７の縦形円筒体７−２の管軸線と同一軸線上にピストンロッドが位置するように支柱８−１に垂直に取付けられ、ピストンロッドの先端には缶押え部材８−２ａを有している。
【００１４】
残留液状物及び残留ガスを受ける密閉形の液状物・ガス受け部３は、側面にガス流出口３−１ａを有する円筒部３−１と、下部に液状物排出口３−２ａを有するボックス部３−２とからなり、前記円筒部３−１が前記スプレー缶穿孔機構部２の支持外筒７−１の下側の円筒体７−１ｂを囲むように機台１の台板１−２に気密に固定されている。ガス流出口３−１ａにはガス吸引パイプ３−１ｂが接続され、吸引ファン等からなる吸引排気装置５により液状物・ガス受け部３内のガスを吸引し大気に放出する構成となしている。又、液状物・ガス受け部３の液状物排出口３−２ａの下方には液状物回収容器４が配置されている。
【００１５】
なお、上記穿孔用流体圧シリンダー８−２及び吸引排気装置５はボタン操作でＯＮ−ＯＦＦ制御することができるように構成されている。
【００１６】
上記構成のスプレー缶簡易処理装置において、使用済みスプレー缶６を処理する際には、図４（ａ）に示すように前記缶載置台７−３に使用済みスプレー缶６を載置し、しかる後ボタン操作により穿孔用流体圧シリンダー８−２及び吸引排気装置５(図２参照)をＯＮする。このスイッチＯＮにより穿孔用流体圧シリンダー８−２が作動して缶載置台７−３上の使用済みスプレー缶６が缶押え部材８−２ａを介して押圧されることにより、該スプレー缶６と一体的にスプレー缶保持部７の縦形円筒体７−２が当該円筒体７−２に内挿されている筒状穿孔針９が固定されたままでスプリング７−４に抗して下降し、同時に前記筒状穿孔針９の楔形先鋭部９−２が縦形円筒体７−２の上部開口端より突出して図４（ｂ）に示すようにスプレー缶６の底面が穿孔される。この時、使用済みスプレー缶６の内部に残存する残留液状物及び残留ガスは、筒状穿孔針９の内部を通流して密閉形の液状物・ガス受け部３内に流出し、残留液状物は液状物排出口３−２ａより液状物容器４内に収容され、残留ガスはガス流出口３−１ａよりガス吸引パイプ３−１ｂを介して吸引排気装置５により吸引され、該排気装置５内で希釈されて大気に放出される。
よって、このスプレー缶簡易処理装置によれば、缶穿孔時に内部の残留液状物及び残留ガスが周囲に漏れたり飛散することがなく、周囲環境に影響を及ぼすことがない上、ガスの着火・爆発の危険性もなくなり処理作業の安全性を十分に確保することができる。
【産業上の利用可能性】
【００１７】
本発明のスプレー缶簡易処理装置は、使用済みスプレー缶を立てた状態で流体圧シリンダーにより押圧して缶底面部を略気密状態で自動的に穿孔すると共に、その穿孔された穴から流出する缶内部の残留液状物及び残留ガスをそれぞれ密閉状態で缶外に取り出し、残留液状物は容器に回収し、残留ガスは吸引排気して大気中に放出させるので、缶穿孔時に内部の残留液状物及び残留ガスが周囲に漏れたり飛散することがなく、作業環境を著しく改善できると共に、ガスの着火・爆発の危険性もなくなり処理作業の安全性を十分に確保することができる。又、本発明装置はボタン操作で制御することができるので、使用済みスプレー缶の廃棄処理の簡易迅速化と作業者の疲労の軽減をはかることができる。したがって、本発明のスプレー缶簡易処理装置は、殺虫剤、消臭剤、化粧品等の使用済みスプレー缶（エアゾール缶）の残留内容物（液状物、ガス）を安全に取り出すための処理装置として極めて有用性に富むものである。
【符号の説明】
【００１８】
１  機台
１−１  脚体
１−２  台板
２  スプレー缶穿孔機構部
３  液状物・ガス受け部
３−１ａ  ガス流出口
３−１ｂ  ガス吸引パイプ
４  液状物回収容器
５  吸引排気装置
６  スプレー缶
７  スプレー缶保持部
７−１  支持外筒
７−１ａ、７−１ｂ、７−３ａ  円筒体
７−１ｃ、７−２ｂ  フランジ部
７−２  縦形円筒体
７−２ａ  大径部
７−２ｃ  シール材
７−３  缶載置台
７−４  スプリング
８  スプレー缶押圧機構
８−１  支柱
８−２  流体圧シリンダー
８−２ａ  缶押え部材
９  筒状穿孔針
９−１  小径部
９−２  楔形先鋭部
【図１】
0005455729.tif 000002
【図２】
0005455729.tif 000003
【図３】
0005455729.tif 000004
【図４】
0005455729.tif 000005